(57)【要約】【課題】  当事者が行う運動の当該対象者の持久運動能力の向上にとっての質を、具体的な指標を用いて客観的に評価する。【解決手段】  算出部として機能するサーバ装置４００が、対象者の事前運動時における複数の運動状態パラメータ値に応じた血中の乳酸の代謝速度測定結果から得られている当該対象者の乳酸の代謝反応速度式に基づいて、当該対象者のトレーニング運動中における運動状態パラメータ値の少なくとも１つの時間変化に応じた乳酸の濃度の時間変化を算出する。そして、評価部として機能するサーバ装置４００が、当該対象者が実施するトレーニング運動中において、算出された乳酸の濃度が維持、上昇、又は、予め定められた範囲内の値を維持する期間長に基づいて、当該実施するトレーニング運動の内容の対象者にとっての持久運動能力の向上のための適切性を評価する。【選択図】  図４
2020089721.tif 000002
【特許請求の範囲】
【請求項１】
対象者の事前運動時における複数の運動状態パラメータ値に応じた血中の代謝物質の濃度の測定結果から得られている前記対象者の代謝物質の代謝反応速度式に基づいて、前記対象者の運動中における前記運動状態パラメータ値の少なくとも１つの時間変化に応じた前記代謝物質の濃度の時間変化を算出する算出部と；
実施した運動中において、前記算出された前記代謝物質の濃度の変化幅が所定値以下である事が維持される第１期間の第１期間長、前記算出された前記代謝物質の濃度の上昇傾向が維持される第２期間の第２期間長、及び前記算出された前記代謝物質の濃度が予め定められた範囲内の値に維持される第３期間の第３期間長のうちの少なくとも１つが含まれる評価指標に基づいて、前記実施した運動の質の前記対象者にとっての適切性を評価する評価部と；
を備えることを特徴とするトレーニング支援システム。
【請求項２】
対象者の事前運動時における複数の運動状態パラメータ値に応じた血中の代謝物質の濃度の測定結果から得られている前記対象者の代謝物質の代謝反応速度式に基づいて、前記対象者の運動中における前記運動状態パラメータ値の少なくとも１つの時間変化に応じた前記代謝物質の濃度の時間変化を算出する算出部と；
実施候補の運動中において、前記算出された前記代謝物質の濃度の変化幅が所定値以下である事が維持される第１期間の第１期間長、前記算出された前記代謝物質の濃度の上昇傾向が維持される第２期間の第２期間長、及び前記算出された前記代謝物質の濃度が予め定められた範囲内の値に維持される第３期間の第３期間長のうちの少なくとも１つが含まれる評価指標に基づいて、前記実施候補の運動の質の前記対象者にとっての適切性を評価する評価部と；
を備えることを特徴とするトレーニング支援システム。
【請求項３】
前記代謝反応速度式は、以下の（Ｉ）〜（IX）の中のいずれかである、ことを特徴とする請求項１又は２に記載のトレーニング支援システム。
【数１】
2020089721.tif 000012
【数２】
2020089721.tif 000013
【数３】
2020089721.tif 000014
【数４】
2020089721.tif 000015
【数５】
2020089721.tif 000016
【数６】
2020089721.tif 000017
【数７】
2020089721.tif 000018
【数８】
2020089721.tif 000019
【数９】
2020089721.tif 000020
上記式（Ｉ）、（IV）及び（VII）中、[met]は代謝物質の濃度を表し、[tor]はトルク値を、[cad]は、脚あるいは腕の回転速度(rpm)、ピッチ数及び移動速度からなる群から選ばれるいずれかのケイデンスあるいは運動速度をそれぞれ表す。[weight]は前記対者の体重、[HR]は心拍数(bpm)をそれぞれ表す。[slope]はコースの傾斜角度分布を含むコース状態を表す。[temp]は気温又は体温を表す。また、べき乗次数は実数である。
上記式（II）、（Ｖ）及び（VIII）中、[force]はフォース値を、[stride(pitch)]は、ピッチと同様に身体を動かす速さのパラメータであり、歩行時、車椅子走行時、ハンドバイク走行時又はランニング時の歩幅又はピッチをそれぞれ表す。[weight]、[HR]、[slope]、[met]及び[temp]については、式（I）と同じである。また、べき乗次数は実数である。
上記式（III）、（VI）及び（IX）中、[power(work rate)]は、force(力)、水平および垂直方向の速度と加速度、身体の上下変動高さ、接地時間、走行時のジャンプ角度、ストライドの周期(pitch)といった測定パラメータから求める仕事率(work rate)を含む。[weight]、[HR]、[slope]、[met]及び[temp]については、式（I）と同じである。また、べき乗次数は実数である。
【請求項４】
前記評価指標に前記第３期間長が含まれる場合には、前記評価部は、前記算出された代謝物質の濃度が前記予め定められた範囲内の値を維持する期間長が長いほど、前記運動の質の前記対象者にとっての適切性が高いと評価する、ことを特徴とする請求項１〜３のいずれか一項に記載のトレーニング支援システム。
【請求項５】
前記評価指標に前記第１期間長が含まれる場合には、前記評価部は、前記算出された代謝物質の濃度の変化幅が所定値以下である事が維持される期間長が長いほど、前記実施した運動の質の前記対象者にとっての適切性が高かったと評価する、ことを特徴とする請求項１〜４のいずれか一項に記載のトレーニング支援システム。
【請求項６】
前記評価指標に前記第２期間長が含まれる場合には、前記評価部は、前記算出された代謝物質の濃度の上昇傾向が維持される期間長が長いほど、前記実施した運動の質の前記対象者にとっての適切性が高かったと評価する、ことを特徴とする請求項１〜５のいずれか一項に記載のトレーニング支援システム。
【請求項７】
前記運動中における前記代謝物質の濃度の時間変化を、前記対象者に提示する提示部をさらに備える、ことを特徴とする請求項１〜６のいずれか一項に記載のトレーニング支援システム。
【請求項８】
前記代謝反応速度式により算出される前記代謝物質の濃度の時間変化が、前記対象者にとって有効な運動に対応すると推定される運動態様を導出する導出部を更に備える、ことを特徴とする請求項１〜７のいずれか一項に記載のトレーニング支援システム。
【請求項９】
前記評価指標に前記第３期間長が含まれる場合には、前記導出部は、複数の運動態様候補のうち、前記算出される前記代謝物質の濃度が予め定められた範囲内の値を維持する期間長が長いほど、前記対象者にとって有効な運動態様候補であると判断する、ことを特徴とする請求項８に記載のトレーニング支援システム。
【請求項１０】
前記評価指標に前記第１期間長が含まれる場合には、前記導出部は、前記算出された代謝物質の濃度の変化幅が所定値以下である事が維持される期間長が長いほど、前記対象者にとって有効な運動態様であると判断する、ことを特徴とする請求項８又は９に記載のトレーニング支援システム。
【請求項１１】
前記評価指標に前記第２期間長が含まれる場合には、前記導出部は、前記算出された代謝物質の濃度の上昇傾向が維持される期間長が長いほど、前記対象者にとって有効な運動態様であると判断する、ことを特徴とする請求項８〜１０のいずれか一項に記載のトレーニング支援システム。
【請求項１２】
前記第１〜第３期間における前記代謝物質の第１総生成量の前記運動の期間中における前記代謝物質の第２総生成量に対する割合が高いほど、前記対象者にとって有効な運動態様であると判断する、ことを特徴とする請求項１〜１１のいずれか一項に記載のトレーニング支援システム。
【請求項１３】
前記第２総生成量が、前記対象者に応じて定められた目標累積生成量に近いほど、前記対象者にとって有効な運動態様であると判断する、ことを特徴とする請求項１２に記載のトレーニング支援システム。
【請求項１４】
前記代謝物質は、乳酸又はクレアチンリン酸である、ことを特徴とする請求項１〜１３のいずれか一項に記載のトレーニング支援システム。
【請求項１５】
前記代謝物質は乳酸であり、
前記予め定められた範囲は、２〜２３ｍｍｏｌ／ｌに含まれる、
ことを特徴とする請求項１４に記載のトレーニング支援システム。
【請求項１６】
前記予め定められた範囲は、２〜１４ｍｍｏｌ／ｌに含まれる、
ことを特徴とする請求項１５に記載のトレーニング支援システム。
【請求項１７】
算出部と、評価部とを備えるトレーニング支援システムにおいて使用されるトレーニング支援方法であって、
前記算出部が、対象者の事前運動時における複数の運動状態パラメータ値に応じた血中の代謝物質の濃度の結果から得られている前記対象者の代謝物質の代謝反応速度式に基づいて、前記対象者の運動中における前記運動状態パラメータ値の少なくとも１つの時間変化に応じた前記代謝物質の濃度の時間変化を算出する算出工程と；
前記評価部が、実施した運動中において、前記算出された前記代謝物質の濃度の変化幅が所定値以下である事が維持される第１期間長、前記算出された前記代謝物質の濃度の上昇傾向が維持される第２期間長、及び前記算出された前記代謝物質の濃度が予め定められた範囲内の値を維持する第３期間長のうちの少なくとも１つが含まれる評価指標に基づいて、前記実施した運動の質の前記対象者にとっての適切性を評価する評価工程と；
を備えることを特徴とするトレーニング支援方法。
【請求項１８】
算出部と、評価部とを備えるトレーニング支援システムにおいて使用されるトレーニング支援方法であって、
前記算出部が、対象者の事前運動時における複数の運動状態パラメータ値に応じた血中の代謝物質の濃度の結果から得られている前記対象者の代謝物質の代謝反応速度式に基づいて、前記対象者の運動中における前記運動状態パラメータ値の少なくとも１つの時間変化に応じた前記代謝物質の濃度の時間変化を算出する算出工程と；
前記評価部が、実施候補の運動中において、前記算出された前記代謝物質の濃度の変化幅が所定値以下である事が維持される第１期間長、前記算出された前記代謝物質の濃度の上昇傾向が維持される第２期間長、及び前記算出された前記代謝物質の濃度が予め定められた範囲内の値を維持する第３期間長のうちの少なくとも１つが含まれる評価指標に基づいて、前記実施候補の運動の質の前記対象者にとっての適切性を評価する評価工程と；
を備えることを特徴とするトレーニング支援方法。
【発明の詳細な説明】
【技術分野】
【０００１】
本発明は、トレーニング支援システム及びトレーニング支援方法に関する。
【背景技術】
【０００２】
従来から、対象者（運動者）にとって効果があると考えられるトレーニング運動を実施するように当該対象者に提案したり、対象者が実施した運動が当該対象者とって有効なトレーニング効果をもたらすものであったか否かを評価、あるいは対象者の運動能力を評価したりする技術が着目されている。こうした技術に関連するものとして、対象者の代謝能力を推算することにより、持久運動能力を評価し、当該対象者にとって有効なトレーニング効果を奏することができる内容のトレーニング運動を提案する技術が提案されている（特許文献１参照；以下、「従来例」と呼ぶ）。
【０００３】
かかる従来例の技術では、運動強度に関連する運動状態パラメータの値を変数とする対象者の乳酸等の代謝物質の代謝反応速度式を作成する。引き続き、当該代謝反応速度式を利用して、対象者の体内反応器の性能を評価する。次に、当該体内反応器の性能の評価結果に基づいて、当該対象者の持久運動能力を向上させるのに有効なトレーニング効果を奏することができるトレーニング運動の態様を導出する。そして、導出されたトレーニング運動の態様を、対象者に対して提案するようになっている。
【先行技術文献】
【特許文献】
【０００４】
【特許文献１】ＷＯ  ２０１７／０１４１８３  Ａ１
【発明の概要】
【発明が解決しようとする課題】
【０００５】
有効と考えられるトレーニング運動を当該対象者に提案することと並んで、又はそれ以上に、対象者が実施したトレーニング運動が当該対象者とって有効なものであったか否かの評価を提示することも、トレーニング支援においては重要な要素である。
しかしながら、対象者が実施したトレーニング運動が当該対象者とって有効なものであったか否かを客観的に（質的に）評価する技術については、従来例には開示されていない。
また、従来例では、提案するトレーニング運動が対象者とっての有効性を評価しているが、より簡易に、かつ、より具体的に有効性を客観的に評価できる技術も待望されている。
【０００６】
このため、対象者の持久運動能力の向上にとって、当該対象者が行う運動の質の客観的な評価のための新たな具体的な手法の技術が待望されている。かかる要請に応えることが、本発明が解決すべき課題の一つとして挙げられる。
【０００７】
なお、本明細書では、「トレーニング運動の質」とは、トレーニング運動により得られるトレーニング効果の有効性の度合いを意味するものであり、血中乳酸濃度、クレアチンリン酸濃度及びピルビン酸濃度をリアルタイムで追跡し、これらの濃度に基づいて評価されるものとする。そして、トレーニング効果の「有効性の度合い」が高いほど、トレーニング運動の「質」が高いものとする。
【課題を解決するための手段】
【０００８】
本発明の発明者が研究の結果として得た知見によれば、持久運動能力の向上のための運動の質は、運動中の対象者の体内における乳酸等の代謝物質の濃度の値が予め定められた範囲内に維持される期間長等といった当該濃度の経時変化の様態により定まる。本発明は、かかる知見に基づいてなされたものである。
【０００９】
すなわち、本発明は、第１の観点からすると、対象者の事前運動時における複数の運動状態パラメータ値に応じた血中の代謝物質の濃度の測定結果から得られている前記対象者の代謝物質の代謝反応速度式に基づいて、前記対象者の運動中における前記運動状態パラメータ値の少なくとも１つの時間変化に応じた前記代謝物質の濃度の時間変化を算出する算出部と；実施した運動中において、前記算出された前記代謝物質の濃度の変化幅が所定値以下である事が維持される第１期間長、前記算出された前記代謝物質の濃度の上昇傾向が維持される第２期間長、及び前記算出された前記代謝物質の濃度が予め定められた範囲内の値に維持される第３期間長のうちの少なくとも１つが含まれる評価指標に基づいて、前記実施した運動の質の前記対象者にとっての適切性を評価する評価部と；を備えることを特徴とする第１トレーニング支援システムである。
【００１０】
この第１トレーニング支援システムでは、算出部が、対象者の事前運動時における複数の運動状態パラメータ値に応じた血中の代謝物質の代謝速度測定結果から得られている当該対象者の代謝物質の代謝反応速度式に基づいて、当該対象者の運動中における運動状態パラメータ値の少なくとも１つの時間変化に応じた代謝物質の濃度の時間変化を算出する。そして、評価部が、当該対象者が実施した運動中において、算出された代謝物質の濃度の変化幅が所定値以下である事が維持される第１期間長、前記算出された前記代謝物質の濃度の上昇傾向が維持される第２期間長、及び前記算出された前記代謝物質の濃度が予め定められた範囲内の値を維持する第３期間長のうちの少なくとも１つが含まれる評価指標に基づいて、当該実施した運動の内容の対象者にとっての適切性を評価する。
【００１１】
したがって、本発明の第１トレーニング支援システムによれば、従来例の技術における運動中における代謝物質の血中濃度を、採血等を行って直接的に測定しなくともよいという利点を確保しつつ、運動中における代謝物質の血中濃度が予め定められた範囲内の値を維持する期間長等の代謝物質の濃度の時間変化の態様という具体的な指標を用いて、対象者が行った運動の質の客観的な評価を行うことができる。
【００１２】
また、本発明は、第２の観点からすると、対象者の事前運動時における複数の運動状態パラメータ値に応じた血中の代謝物質の濃度の測定結果から得られている前記対象者の代謝物質の代謝反応速度式に基づいて、前記対象者の運動中における前記運動状態パラメータ値の少なくとも１つの時間変化に応じた前記代謝物質の濃度の時間変化を算出する算出部と；実施候補の運動中において、前記算出された前記代謝物質の濃度の変化幅が所定値以下である事が維持される第１期間の第１期間長、前記算出された前記代謝物質の濃度の上昇傾向が維持される第２期間の第２期間長、及び前記算出された前記代謝物質の濃度が予め定められた範囲内の値に維持される第３期間の第３期間長のうちの少なくとも１つが含まれる評価指標に基づいて、前記実施候補の運動の質の前記対象者にとっての適切性を評価する評価部と；を備えることを特徴とする第２トレーニング支援システムである。
【００１３】
この第２トレーニング支援システムでは、算出部が、対象者の事前運動時における複数の運動状態パラメータ値に応じた血中の代謝物質の代謝速度測定結果から得られている当該対象者の代謝物質の代謝反応速度式に基づいて、当該対象者の運動中における運動状態パラメータ値の少なくとも１つの時間変化に応じた代謝物質の濃度の時間変化を算出する。そして、評価部が、実施候補の運動中において、算出された代謝物質の濃度の変化幅が所定値以下である事が維持される第１期間長、前記算出された前記代謝物質の濃度の上昇傾向が維持される第２期間長、及び前記算出された前記代謝物質の濃度が予め定められた範囲内の値を維持する第３期間長のうちの少なくとも１つが含まれる評価指標に基づいて、当該実施した運動の内容の対象者にとっての適切性を評価する。
【００１４】
したがって、本発明の第２トレーニング支援システムによれば、従来例の技術における運動中における代謝物質の血中濃度を、採血等を行って直接的に測定しなくともよいという利点を確保しつつ、実行候補の運動中における代謝物質の血中濃度が予め定められた範囲内の値を維持する期間長等の代謝物質の濃度の時間変化の態様という具体的な指標を用いて、当該実行候補の運動の質の客観的な評価を簡易に行うことができる。
【００１５】
本発明の第１及び第２トレーニング支援システムでは、前記代謝反応速度式は、以下の（Ｉ）〜（IX）の中からいずれかであるとすることができる。
【００１６】
【数１】
2020089721.tif 000003
【００１７】
【数２】
2020089721.tif 000004
【００１８】
【数３】
2020089721.tif 000005
【００１９】
【数４】
2020089721.tif 000006
【００２０】
【数５】
2020089721.tif 000007
【００２１】
【数６】
2020089721.tif 000008
【００２２】
【数７】
2020089721.tif 000009
【００２３】
【数８】
2020089721.tif 000010
【００２４】
【数９】
2020089721.tif 000011
【００２５】
ここで、上記式（Ｉ）、（IV）及び（VII）中、[met]は代謝物質の濃度を表し、[tor]はトルク値を、[cad]は、脚あるいは腕の回転速度(rpm)、ピッチ数及び移動速度からなる群から選ばれるいずれかのケイデンスあるいは運動速度をそれぞれ表す。[weight]は前記対者の体重、[HR]は心拍数(bpm)をそれぞれ表す。[slope]はコースの傾斜角度分布を含むコース状態を表す。[temp]は気温又は体温を表す。また、べき乗次数は実数である。
【００２６】
上記式（II）、（Ｖ）及び（VIII）中、[force]はフォース値を、[stride(pitch)]は、ピッチと同様に身体を動かす速さのパラメータであり、歩行時、車椅子走行時、ハンドバイク走行時又はランニング時の歩幅又はピッチをそれぞれ表す。[weight]、[HR]、[slope]、[met]及び[temp]については、式（I）と同じである。また、べき乗次数は実数である。
【００２７】
上記式（III）、（VI）及び（IX）中、[power(work rate)]は、force(力)、水平および垂直方向の速度と加速度、身体の上下変動高さ、接地時間、走行時のジャンプ角度、ストライドの周期(pitch)といった測定パラメータから求める仕事率(work rate)を含む。[weight]、[HR]、[slope]、[met]及び[temp]については、式（I）と同じである。また、べき乗次数は実数である。
【００２８】
また、本発明の発明者が研究の結果として得た知見によれば、持久運動能力の向上のための運動の質は、運動中の対象者の体内における乳酸等の代謝物質の濃度の値が予め定められた範囲内に維持される期間長が長いほど高い。また、当該運動の質は、算出された当該代謝物質の濃度の変化幅が所定値以下である事が維持される期間長が長いほど高い。さらに、当該運動の質は、算出された当該代謝物質の濃度が予め定められた範囲内の値に維持される期間長が長いほど高い。
【００２９】
このため、本発明のトレーニング支援システムでは、前記評価指標に前記第３期間長が含まれる場合には、前記評価部は、前記算出された代謝物質の濃度が前記予め定められた範囲内の値を維持する期間長が長いほど、前記実施した運動の質の前記対象者にとっての適切性が高かったと評価する、という構成とすることができる。
【００３０】
また、本発明の第１及び第２トレーニング支援システムでは、前記評価指標に前記第１期間長が含まれる場合には、前記評価部は、前記算出された代謝物質の濃度の変化幅が所定値以下である事が維持される期間長が長いほど、前記実施した運動の質の前記対象者にとっての適切性が高かったと評価する、という構成とすることができる。
【００３１】
また、本発明の第１及び第２トレーニング支援システムでは、前記評価指標に前記第２期間長が含まれる場合には、前記評価部は、前記算出された代謝物質の濃度の上昇傾向が維持される期間長が長いほど、前記実施した運動の質の前記対象者にとっての適切性が高かったと評価する、という構成とすることができる。
【００３２】
なお、算出された代謝物質の濃度の時間変化の態様と運動状態パラメータ値とを併せて複合的に評価する事もできる。
【００３３】
また、本発明の第１及び第２トレーニング支援システムでは、前記運動中における前記代謝物質の濃度の時間変化を、前記対象者に提示する提示部をさらに備える、構成とすることができる。この場合には、対象者に対して、運動の質をリアルタイムで提示することができる。
【００３４】
また、本発明の第１及び第２トレーニング支援システムでは、代謝反応速度式により算出される前記代謝物質の濃度の時間変化が、前記対象者にとって有効なトレーニング運動に対応すると推定されるトレーニング態様を導出する導出部を更に備える、構成とすることができる。この場合には、対象者が行った運動の質の評価に加えて、対象者にとって有効な運動に対応すると推定されるトレーニング態様を導出することができる。例えば、既知のトレーニングコースのうちから、対象者にとって有効なトレーニング運動を行うことが可能なコースを選んだうえで、当該コースにおけるトレーニング態様を提案することができる。
【００３５】
ここで、前記評価指標に前記第３期間長が含まれる場合には、前記導出部が、複数のトレーニング態様候補のうち、前記算出される前記代謝物質の濃度が予め定められた範囲内の値を維持する期間長が長いほど、前記対象者にとって有効なトレーニング態様であると判断する、構成とすることができる。
【００３６】
また、前記評価指標に前記第１期間長が含まれる場合には、前記導出部は、前記算出された代謝物質の濃度の変化幅が所定値以下である事が維持される期間長が長いほど、前記対象者にとって有効な運動態様であると判断する、構成とすることができる。
【００３７】
また、前記評価指標に前記第２期間長が含まれる場合には、前記導出部は、前記算出された代謝物質の濃度の上昇傾向が維持される期間長が長いほど、前記対象者にとって有効な運動態様であると判断する、構成とすることができる。
【００３８】
また、前記第１〜第３期間（以下、「特定期間」ともいう）における前記代謝物質の第１〜第３総生成量の前記運動の期間中における前記代謝物質の総生成量に対する割合が高いほど、前記対象者にとって有効な運動態様であると判断する、構成とすることができる。
【００３９】
ここで、前記第２総生成量が、前記対象者に応じて定められた目標累積生成量に近いほど、前記対象者にとって有効な運動態様であると判断する、構成とすることができる。
【００４０】
また、本発明のトレーニング支援システムでは、前記代謝物質を、乳酸又はクレアチンリン酸とすることができる。
【００４１】
前記代謝物質を乳酸とし、前記予め定められた範囲が、２〜２３ｍｍｏｌ／ｌに含まれるとすることができる。ここで、前記予め定められた範囲を、２〜１４ｍｍｏｌ／ｌに含まれるとすることができる。さらに、前記予め定められた範囲を、４〜８ｍｍｏｌ／ｌに含まれるとすることができる。
【００４２】
本発明は、第３の観点からすると、算出部と、評価部とを備えるトレーニング支援システムにおいて使用されるトレーニング支援方法であって、前記算出部が、対象者の事前運動時における複数の運動状態パラメータ値に応じた血中の代謝物質の濃度の結果から得られている前記対象者の代謝物質の代謝反応速度式に基づいて、前記対象者の運動中における前記運動状態パラメータ値の少なくとも１つの時間変化に応じた前記代謝物質の濃度の時間変化を算出する算出工程と；前記評価部が、実施した運動中において、前記算出された前記代謝物質の濃度の変化幅が所定値以下である事が維持される第１期間長、前記算出された前記代謝物質の濃度の上昇傾向が維持される第２期間長、及び前記算出された前記代謝物質の濃度が予め定められた範囲内の値を維持する第３期間長のうちの少なくとも１つが含まれる評価指標に基づいて、前記実施した運動の質の前記対象者にとっての適切性を評価する評価工程と；を備えることを特徴とする第１トレーニング支援方法である。
【００４３】
この第１トレーニング支援方法では、算出工程において、算出部が、対象者の事前運動時における複数の運動状態パラメータ値に応じた血中の代謝物質の代謝速度測定結果から得られている当該対象者の代謝物質の代謝反応速度式に基づいて、当該対象者の運動中における運動状態パラメータ値の少なくとも１つの時間変化に応じた代謝物質の濃度の時間変化を算出する。そして、評価工程において、評価部が、当該対象者が実施した運動中において、算出された代謝物質の濃度の変化幅が所定値以下である事が維持される第１期間長、当該算出された代謝物質の濃度の上昇傾向が維持される第２期間長、及び当該算出された代謝物質の濃度が予め定められた範囲内の値を維持する第３期間長のうちの少なくとも１つが含まれる評価指標に基づいて、当該実施した運動の内容の対象者にとっての適切性を評価する。
【００４４】
したがって、本発明の第１トレーニング支援方法によれば、従来例の技術における運動中における代謝物質の血中濃度を、採血等を行って直接的に測定しなくともよいという利点を確保しつつ、運動中における代謝物質の血中濃度が予め定められた範囲内の値を維持する期間長等の代謝物質の濃度の時間変化の態様という具体的な指標を用いて、対象者が行った運動の質の客観的な評価を行うことができる。
【００４５】
本発明は、第４の観点からすると、算出部と、評価部とを備えるトレーニング支援システムにおいて使用されるトレーニング支援方法であって、前記算出部が、対象者の事前運動時における複数の運動状態パラメータ値に応じた血中の代謝物質の濃度の結果から得られている前記対象者の代謝物質の代謝反応速度式に基づいて、前記対象者の運動中における前記運動状態パラメータ値の少なくとも１つの時間変化に応じた前記代謝物質の濃度の時間変化を算出する算出工程と；前記評価部が、実施候補の運動中において、前記算出された前記代謝物質の濃度の変化幅が所定値以下である事が維持される第１期間長、前記算出された前記代謝物質の濃度の上昇傾向が維持される第２期間長、及び前記算出された前記代謝物質の濃度が予め定められた範囲内の値を維持する第３期間長のうちの少なくとも１つが含まれる評価指標に基づいて、前記実施候補の運動の質の前記対象者にとっての適切性を評価する評価工程と；を備えることを特徴とする第２トレーニング支援方法である。
【００４６】
この第２トレーニング支援方法では、算出工程において、算出部が、対象者の事前運動時における複数の運動状態パラメータ値に応じた血中の代謝物質の代謝速度測定結果から得られている当該対象者の代謝物質の代謝反応速度式に基づいて、当該対象者の運動中における運動状態パラメータ値の少なくとも１つの時間変化に応じた代謝物質の濃度の時間変化を算出する。そして、評価工程において、評価部が、実施候補の運動中において、算出された代謝物質の濃度の変化幅が所定値以下である事が維持される第１期間長、前記算出された前記代謝物質の濃度の上昇傾向が維持される第２期間長、及び前記算出された前記代謝物質の濃度が予め定められた範囲内の値を維持する第３期間長のうちの少なくとも１つが含まれる評価指標に基づいて、当該実施した運動の内容の対象者にとっての適切性を評価する。
【００４７】
したがって、本発明の第２トレーニング支援システムによれば、従来例の技術における運動中における代謝物質の血中濃度を、採血等を行って直接的に測定しなくともよいという利点を確保しつつ、実行候補の運動中における代謝物質の血中濃度が予め定められた範囲内の値を維持する期間長等の代謝物質の濃度の時間変化の態様という具体的な指標を用いて、当該実行候補の運動の質の客観的な評価を簡易に行うことができる。
【発明の効果】
【００４８】
本発明のトレーニング支援システムによれば、従来例の技術におけるト運動中における代謝物質の血中濃度を、採血等を行って直接的に測定しなくともよいという利点を確保しつつ、運動中における代謝物質の血中濃度が予め定められた範囲内の値を維持する期間長等の代謝物質の濃度の時間変化の態様という具体的な指標を用いて、対象者が行った運動の質の評価を客観的に行うことができるという効果を奏する。
【００４９】
本発明のトレーニング支援方法によれば、従来例の技術における運動中における代謝物質の血中濃度を、採血等を行って直接的に測定しなくともよいという利点を確保しつつ、運動中における代謝物質の血中濃度が予め定められた範囲内の値を維持する期間長等の代謝物質の濃度の時間変化の態様という具体的な指標を用いて、対象者が行った運動の質の評価を客観的に行うことができるという効果を奏する。
【図面の簡単な説明】
【００５０】
【図１】図１は、体内主反応器、第１及び第２体内副反応器とそれらの機能、並びに各反応器から供給されるアデノシン三リン酸（ＡＴＰ）の量を模式的に表した図である。
【図２】図２は、適切なトレーニングを行なった後の上記の各反応器からのＡＴＰ供給量の変化を模式的に示す図である。
【図３】図３は、運動強度の増加と血中乳酸濃度の増加との関係を示す図である。
【図４】図４は、一実施形態に係るトレーニング支援システムの構成を示すブロック構成図である。
【図５】図５は、運動強度の変化に伴う乳酸生成速度の変化の実測値と、指数タイプ式の形式の回帰式との相関例を示す図である。図５（Ａ）は、持久運動能力レベルが高い者の場合の相関例であり、図５（Ｂ）は、持久運動能力レベルが低い者の場合の相関例である。
【図６】図６は、運動強度の変化に伴う乳酸生成速度の変化の実測値と、累乗タイプ式の形式の回帰式との相関例を示す図である。図６（Ａ）は、持久運動能力レベルが高い者の場合の相関例であり、図６（Ｂ）は、持久運動能力レベルが低い者の場合の相関例である。
【図７】図７は、第１〜第３期間（特定期間）における代謝物質（乳酸）の第１〜第3総生成量の運動の全期間中における代謝物質の総生成量に対する割合が高いほど、ＬＴの上昇に寄与できる傾向にあることを示す図である。
【図８】図８は、持久運動能力の向上の観点から、対象者について有効であるいえるトレーニング運動における代謝生成物（乳酸）の生成量の時間変化の例を示す図である。
【図９】図９は、実施されたトレーニング運動における運動強度の時間変化及び血中乳酸濃度の時間変化の一例を示す図である。ここで、図９（Ａ）は、運動強度の時間変化を示す図であり、図９（Ｂ）は、血中乳酸濃度の時間変化を示す図である。
【図１０】図１０は、実施されたトレーニング運動における運動強度の時間変化及び血中乳酸濃度の時間変化の他例を示す図である。ここで、図１０（Ａ）は、運動強度の時間変化を示す図であり、図１０（Ｂ）は、血中乳酸濃度の時間変化を示す図である。
【発明を実施するための形態】
【００５１】
［代謝反応速度式の利用について］
本発明の実施形態の説明に先立って、本発明における代謝反応速度式の利用について説明する。
【００５２】
トレーニング運動の質を把握し、総合的に評価するためには、トレーニング運動期間における経時的な運動強度の変動履歴をたどりながら、それまでの運動がその後の運動へどのような影響を及ぼすかを経時的な変化の中でのひとつながりの現象として捉えることが必要である。ところで、運動強度の測定においては、呼吸で摂取した酸素量による測定が以前から広く行われてきたが、近年では、運動強度を測定する測定器（以下、「仕事率測定器」ともいう。）が開発され、小型化が進んだ。
【００５３】
このため、競技によっては競技現場においても心拍数、脈拍、呼吸数の他、その対象者が現在位置している高度や運動速度等を測定し、データとして収集できるようになった。例えば、各測定器メーカーから、以上のようなデータ収集のための自転車搭載装置が、簡易な解析機能を有するソフトウェアを実装したものとして販売されている（例えば、ペダルモニターシステム（パイオニア（株）製））。
【００５４】
一方で、運動を続けるためにはエネルギーが必要とされるが、各対象者は体内にこうしたエネルギーを産生するための複数の体内反応器を有している（以下、単に「反応器」ということがある。）。運動のためのエネルギー源としては、脂肪と糖という２つがあり、これらは体内に蓄えられ、別々の反応器で利用される。ここで、体内反応器は、代謝反応により運動の持続に必要なエネルギーを、アデノシン三リン酸（以下、「ＡＴＰ」とも記す）の形態で供給する反応器であり、体内主反応器並びに第１及び第２体内副反応器という３つの反応器で構成されていることが知られている。（図１参照）。
【００５５】
体内主反応器（以下、単に「主反応器」とも記す）は、運動のための主要なエネルギー源である脂肪（以下、「第１エネルギー源」ともいう。）を代謝してクレアチンリン酸とＡＴＰとを生成する場である。ここで、「脂肪」は、動植物に含まれる「あぶら」である「油脂」のうち、常温で固体のものをいう。
【００５６】
油脂の成分は、トリアシルグリセロール（トリグリセリド又は中性脂肪ともよばれる）であり、グリセロールの３つの水酸基に、脂肪酸がそれぞれエステル結合したものである。トリアシルグリセロールは、脂肪組織に蓄えられたエネルギー貯蔵体であり、生体の大半の貯蔵エネルギーを占める。トリアシルグリセロールから酵素によって遊離された脂肪酸は、下記のように代謝されてＡＴＰ生成に関与する。
【００５７】
脂肪は、脂肪酸に分解されてクエン酸回路に入り、この回路において炭素骨格が最終的に完全酸化されて水と二酸化炭素とに分解される。脂肪酸から形成されたアセチルＣｏＡの炭素部分は、クエン酸回路で脱炭酸され、水素部分は脱水素酵素で主にＮＡＤＨ（還元型のニコチンアミドアデニンジヌクレオチド（ＮＡＤ））としてミトコンドリア内膜の電子伝達系に渡される。そして、電子伝達系は、その最後の使途クロームオキシダーゼによって、酵素を用いてこのＮＡＤＨの水素を酸化して水をつくる。その際には多量のエネルギーが遊離されるため、このエネルギーを用いてＡＴＰ合成酵素がＡＤＰ（アデノシン二リン酸）無機リン酸（Ｐｉ）とからＡＴＰを合成する。すなわち、主反応器中では、脂肪の酸化的リン酸化が行われるようになっている。
以上の反応は、真核細胞の場合には細胞内のミトコンドリア内膜において行われ、上記のような第１エネルギー源を用いてＡＴＰ産生を行なう場が主反応器なのである。
【００５８】
また、第１体内副反応器（以下、「第１副反応器」とも記す）は、運動のための副次的なエネルギー源である糖（以下、「第２エネルギー源」ともいう）を代謝してピルビン酸とＡＴＰとを生成する場である。この第１副反応器では、解糖反応によって糖からピルビン酸とＡＴＰとが生成される。ピルビン酸は、（ａ）ピルビン酸→乳酸の経路と、（ｂ）ピルビン酸 → アセチル-CoA → TCA回路 → 呼吸鎖の経路という２つの系路で代謝され、ＡＴＰを産生する。なお、ピルビン酸は、乳酸デヒドロゲナーゼによって乳酸に還元される。
【００５９】
また、第２体内副反応器（以下、「第２副反応器」とも記す）は、筋肉に蓄えられたアデノシン二リン酸（ＡＤＰ）のレベルに依存して、主反応器で生成されたクレアチンリン酸からクレアチンとＡＴＰとを生成する場である。すなわち、第２副反応器は、クレアチンリン酸をホスファゲンとして利用する。
【００６０】
なお、第１エネルギー源である脂肪の酸化的代謝物の一部は、第２体内副反応器（以下、単に「第２副反応器」ということがある。）に送られる。そして、第２副反応器中でクレアチンリン酸消費−再合成反応で利用され、ＡＴＰの産生に利用されることが知られている。
【００６１】
ところで、主反応器で産生された高エネルギー化合物であるクレアチンリン酸は、高エネルギーリン酸結合の貯蔵という生理的意義を持つ物質である。なぜなら、筋収縮等に伴ってＡＤＰレベルが上昇すると、クレアチンリン酸は第２体内副反応器で消費されてクレアチンとＡＴＰとを生成するが、逆にＡＤＰレベルが低下すると、クレアチンキナーゼで触媒される反応によって、クレアチンとＡＴＰとからクレアチンリン酸が生成されるからである。この一連の反応を、「クレアチンリン酸消費−合成反応」といい、この反応が起こる場が第２体内副反応器である。
【００６２】
上述したように、ＡＴＰは、体内主反応器、第１及び第２体内副反応器という３つの反応器で生成される。生成されるＡＴＰ量を反応器ごとに比較すると、第１及び第２体内副反応器で産生されるＡＴＰ産生量は、主反応器で産生される量よりもはるかに少ない。このため、運動のためのエネルギーであるＡＴＰは、主として主反応器から供給されているといえる。
【００６３】
さて、運動強度が低い場合には、ＡＴＰは主として第１エネルギー源の酸化的代謝によって生成される（図２参照）。これに対し、運動強度が高い場合には、主反応器で行われる酸化的代謝だけではＡＴＰの供給が賄いきれないため、上述した２つの副反応器もフル稼働し、糖の代謝及びクレアチンリン酸消費−再合成反応によって、ＡＴＰが供給されるようになる。そして、第２エネルギー源、すなわち、糖の利用量が多くなり、第１副反応器中に蓄えられた糖の量が減少すると、疲労によって運動ができなくなることが知られている（図２参照）。
【００６４】
代謝物質として例えば乳酸に着目した場合、図３（Ａ）に一例が示されている運動強度（運動パワー；以下、単に「パワー」とも記す）と血中乳酸濃度との間の関係を表すLactateカーブから、運動強度と血中乳酸濃度との間には、以下のような関係があることが知られている。すなわち、運動強度が低い間は、運動強度と血中乳酸濃度とはほぼ比例関係にあるといえるが、運動強度を上げていくと、ある強度に達したときに、急激に血中乳酸濃度が上がることが知られている。
【００６５】
なお、Lactateカーブは、実験室等で漸増負荷テストを行うことにより得ることができる。かかる漸増負荷テストは、一定強度で一定時間の運動を行い、その都度、血中乳酸濃度の測定を行い、次いで徐々に強度を上げてゆくというテストである。
【００６６】
本発明者が研究の結果として得た知見によれば、かかる血中乳酸濃度が急激上がり始める血中乳酸濃度（乳酸スレッショルド（Lactate Threshold, 以下「ＬＴ」と略すことがある。））は、約２〜４ｍｍｏｌ／ｌであり、個人ごとに大きな差はない。そして、有効なトレーニングを積んでいくと、図３（Ｂ）に示されるように、ＬＴとなる運動強度が上昇していく。こうしてＬＴとなる運動強度が上昇していくと、持久運動能力（運動持続可能性）が高まっていく。これは、次のメカニズムによると考えられる。
【００６７】
すなわち、乳酸生成速度が上昇する強度での運動を行なうと、主反応器からの第１エネルギー源に基づくＡＴＰの供給量が低下する。このため、第１副反応器の稼働率が上がり、乳酸生成量が増えていく。こうした運動負荷の状態（高強度負荷状態）を維持するか、断続的に高強度負荷状態とするようなトレーニング運動を積んでいくと、乳酸生成速度が急激に上昇するまでの時間が遅くなっていくことを示すのが、図３（Ｂ）に示される、有効なトレーニングを積むことによるLactateカーブの変化であると考えられる。
【００６８】
また、本発明者が研究の結果として得た知見によれば、代謝物質が乳酸の場合には、濃度を維持し続ける事、また高い濃度値あるいは濃度帯を保つ事が持久運動能力の向上には効果があるが、高い濃度を維持する運動は継続可能な時間が短くなる。このため上記の目的を達成するための運動形態には様々な組み合わせが考えられる。
【００６９】
運動中の対象者の血中乳酸濃度が、２〜２３ｍｍｏｌ／ｌに含まれる予め定められた範囲内、このうち特に２〜１４ｍｍｏｌ／ｌである状態が継続的に維持される期間が長いほど、持久運動能力の向上のために有効な運動としての質が高い。すなわち、運動中の対象者の血中乳酸濃度が、２ｍｍｏｌ未満である状態が継続するのみであれば、持久運動能力の向上を望むことができない。
【００７０】
また、運動中の対象者の血中乳酸濃度が、１４ｍｍｏｌを超える期間が長くなると、２〜１４ｍｍｏｌ／ｌである状態が継続的に維持される期間の比率が低下してしまうので、持久運動能力の向上のために有効な運動としての質が高いとはいえなくなる。
【００７１】
なお、上記では乳酸を代謝物質とした場合を説明したが、乳酸以外の代謝物質であっても、測定可能であり、かつ、運動強度に応じて増減する代謝物質であれば、乳酸の場合と同様に、当該代謝物質の体内濃度を指標として、持久運動能力の向上のために有効な運動としての質を評価することができる。
【００７２】
しかしながら、実際のトレーニング運動中に、体内代謝物質濃度を実測することは困難である。そこで、実際のトレーニング運動中における運動強度に関連する取得可能なパラメータ（変数）に基づく、体内代謝物質濃度の推定できる手法が必要となる。
【００７３】
本発明者が研究の結果として得た知見によれば、上述した実験室における漸増負荷テストで測定された対象者の血中乳酸濃度等の体内代謝物質濃度から、運動強度に応じた体内代謝物質の代謝速度を示す代謝反応速度式を、複数の運動状態パラメータ値を変数として求めることができる。そして、当該代謝反応速度式の変数として体内代謝物質濃度が含まれていても、トレーニング運動の開始前の体内代謝物質濃度を初期値として採用すれば、トレーニング運動中における体内代謝物質濃度の時間変化を求めることができる。
【００７４】
なお、本発明者が研究の結果として得た知見によれば、当該初期値は、対象者がトレーニングを積んでいっても大きく変化することはない。
【００７５】
［トレーニング支援システム］
以下、本発明の一実施形態に係るトレーニング支援システムについて、図４〜図Ｘを主に参照して説明する。なお、本実施形態では、代謝物質として乳酸を採用するものとして説明する。
【００７６】
＜構成＞
図４には、一実施形態に係るトレーニング支援システム９００の構成が示されている。この図４に示されるように、トレーニング支援システム９００は、可搬型計測ユニット１００m（ｍ＝１，２，…，Ｍ）と、事前計測ユニット２００q（ｑ＝１，２，…，Ｑ）と、利用者端末装置３００p（ｐ＝１，２，…，Ｐ）と、事前計測ユニット３００q（ｑ＝１，２，…，Ｑ）と、サーバ装置４００とを備えている。
【００７７】
これらの可搬型計測ユニット１００m、事前計測ユニット２００q、通信端末装置３００p及びサーバ装置４００は、ネットワーク５００に接続されている。本実施形態では、サーバ装置４００が、可搬型計測ユニット１００m、事前計測ユニット２００q及び通信端末装置３００pとの間で、ネットワーク５００を利用した通信を行うようになっている。
【００７８】
《可搬型計測ユニット１００mの構成》
上記の可搬型計測ユニット１００mは、計測対象者である利用者のトレーニング運動中において、対象者又は運動用に当該対象者が利用する器具に装着される。例えば、運動がマラソンの場合には、可搬型計測ユニット１００mは対象者に装着される。また、運動が自転車走行の場合には、自転車又は対象者に装着される。
【００７９】
可搬型計測ユニット１００mは、センサ１１０m,n（ｎ＝１，２，…，Ｎm）と、処理ユニット１２０mとを備えている。また、可搬型計測ユニット１００mは、表示ユニット１３０mを備えている。
【００８０】
上記のセンサ１１０m,nのそれぞれは、センサ本体と、データ送信ユニットとを備えている。本実施形態では、センサ１１０m,nは、センサ本体による検出結果をデジタル値化したデータを、データ送信ユニットが、Bluetooth（登録商標）規格等に従った近距離無線通信により、処理ユニット１２０mへ送信するようになっている。
【００８１】
なお、センサ１１０m,1〜１１０m,Nmにより検出される運動状態パラメータ値には、上述した（Ｉ）〜（IX）式のいずれかにおいて変数となっている運動状態パラメータ値の組が少なくとも含まれるようになっている。
【００８２】
上記の処理ユニット１２０mは、中央処理装置（ＣＰＵ：Central Processing Unit）、記憶素子及びその周辺回路を備えて構成されている。当該ＣＰＵがプログラムを実行することにより、可搬型計測ユニット１００mとしての機能が実現するようになっている。
【００８３】
なお、処理ユニット１２０mは、タイマ機能を有している。
【００８４】
また、処理ユニット１２０mは、Bluetooth（登録商標）規格等に従った近距離無線通信及び広域無線通信の双方の機能を有するとともに、演算能力を有する通信端末装置となっている。さらに、処理ユニット１２０mは、不図示のキーボード等の情報入力部を備えており、この情報入力部を操作することにより、対象者の識別情報の指定、センサ１１０m,Nｍ〜１１０m,N1により検出される運動状態パラメータ値の種類の指定（本実施形態では、上述した代謝反応速度式（Ｉ）〜（IX）のいずれを利用しようとするかに応じた、第１〜第３の変数の組（すなわち、運動状態パラメータの組）のうち、いずれを使用するかの指定）、センサ検出結果のロギング動作の開始／停止の指定等をすることができるようになっている。
【００８５】
なお、処理ユニット１２０mにより実行される処理については、後述する。
【００８６】
上記の表示ユニット１３０mは、液晶パネル等の表示デバイスを備えて構成されている。この表示ユニット１３０mは、処理ユニット１２０mから送られた表示データを受ける。そして、表示ユニット１３０mは、当該表示データに応じた画像を表示する。
【００８７】
《事前計測ユニット２００qの構成》
上記の事前計測ユニット２００q（ｑ＝１，２，…，Ｑ）は、実験室やトレーニングセンタ施設等に配置される。この事前計測ユニット２００qは、センサ２１０q,r（ｒ＝１，２，…，Ｒq）と、血中乳酸濃度を測定する乳酸測定器２２０qと、データロガー２３０qとを備えている。
【００８８】
上記のセンサ２１０q,rのそれぞれは、センサ２１０m,nの場合と同様に、センサ本体と、データ送信ユニットとを備えている。すなわち、センサ２１０q,r は、センサ本体による検出結果をデジタル値化したデータを、データ送信ユニットが、Bluetooth（登録商標）の規格等に従った近距離無線通信により、データロガー２３０qへ送信するようになっている。
【００８９】
なお、センサ２１０q,1〜２１０q,R1により検出される運動状態パラメータ値には、上述した（Ｉ）〜（IX）式において変数となっている運動状態パラメータ値のいずれも含まれている。
【００９０】
上記の乳酸測定器２２０qは、事前測定の対象となる対象者から採血された血液中の乳酸濃度（血中乳酸濃度）を測定する。本実施形態では、乳酸測定器２２０qは、測定結果を、不図示の表示部に表示するようになっている。
【００９１】
上記のデータロガー２３０qは、中央処理装置（ＣＰＵ：Central Processing Unit）、記憶素子及びその周辺回路を備えて構成されている。当該ＣＰＵがプログラムを実行することにより、事前計測ユニット２００qとしての機能が実現するようになっている。
【００９２】
なお、データロガー２３０qは、タイマ機能を有している。
【００９３】
また、データロガー２３０qは、Bluetooth（登録商標）規格等に従った近距離無線通信及び広域無線通信の双方の機能を有するとともに、演算能力を有する通信端末装置となっている。さらに、データロガー２３０qは、不図示のキーボード等の情報入力部を備えており、この情報入力部を操作することにより、事前測定の対象となる対象者の識別情報の指定、検出対象となる運動状態パラメータの値の種類の指定（本実施形態では、上述した代謝反応速度式（Ｉ）〜（IX）のいずれを利用しようとするかに応じた、第１〜第３の変数の組（すなわち、運動状態パラメータの組）のうち、いずれを使用するかの指定）、センサ検出結果のロギング動作の開始／停止の指定、乳酸測定器２２０qによる測定結果の入力等をすることができるようになっている。
【００９４】
なお、データロガー２３０qにより実行される処理については、後述する。
【００９５】
《利用者端末装置３００pの構成》
上記の利用者端末装置３００pとしては、対象者の自宅等に配置されるパーソナルコンピュータ、対象者とともに移動可能なノート型パーソナルコンピュータやスマートフォン等が利用可能である。この利用者端末装置３００pを利用して、対象者が、サーバ装置４００へ登録要求を送信すると、サーバ装置４００において利用者登録が行われ、対象者の識別情報が付与される。
【００９６】
なお、当該登録要求では、対象者のデモグラフィック情報（年齢、住所、性別等）が指定されるようになっている。
【００９７】
こうして付与された対象者の識別情報は、当該登録要求を送信した利用者端末装置３００pへ返送される。この結果、対象者は、自身に付与された識別情報を知ることができる。
【００９８】
また、利用者端末装置３００pを利用して、対象者が、サーバ装置４００へ推奨トレーニング運動提示要求を送信すると、サーバ装置４００において推奨トレーニング運動情報（推奨コース、推奨運動期間長、運動態様等）が生成される。なお、推奨トレーニング運動提示要求では、対象者の識別情報、行いたいトレーニング運動の種類（マラソン、自転車等）等が指定されるようになっている。
【００９９】
こうして生成された推奨トレーニング運動情報は、当該推奨トレーニング運動提示要求を送信した利用者端末装置３００pへ返送される。この結果、対象者は、自身の持久運動能力の向上に適したトレーニング運動の内容を知ることができる。
【０１００】
《サーバ装置４００の構成》
上記のサーバ装置４００は、ＣＰＵ、固定ディスク等の大容量記憶装置及びその周辺回路等を備えて構成されている。当該ＣＰＵが様々なプログラムを実行することにより、サーバ装置４００としての機能を果たすようになっている。こうした機能には、利用者登録処理、代謝反応速度式生成処理、代謝反応速度式の送信処理、推奨トレーニング運動情報生成処理、実行されたトレーニング運動の評価処理等が含まれている。
【０１０１】
なお、サーバ装置４００が備える大容量記憶装置内には、対象者の識別情報に関連付けて、対象者の登録時に取得された当該対象者のデモグラフィック情報、当該対象者の代謝反応速度式、当該対象者の運動履歴情報等が記憶されるようになっている。また、当該大容量記憶装置内には、運動の種類ごとにトレーニングコースの情報が記憶されるようになっている。
【０１０２】
サーバ装置４００は、利用者端末装置３００pから送信された新たな登録要求を受信すると、利用者登録処理を実行する。かかる利用者登録処理に際して、サーバ装置４００は、新たな識別情報を、新たな登録要求を発行した新たな対象者に対して付与する。引き続き、サーバ装置４００は、新たな識別情報に関連付けて、新たな登録要求で指定されたデモグラフィック情報を大容量記憶装置に格納する。そして、サーバ装置４００は、当該新たな識別情報を、登録要求を送信した利用者端末装置３００pへ返送する。
【０１０３】
なお、上述した代謝反応速度式生成処理、代謝反応速度式の送信処理、推奨トレーニング運動情報生成処理、実行されたトレーニング運動の評価処理については、後述する。
【０１０４】
＜動作＞
次に、上記のように構成されたトレーニング支援システム９００の動作について、処理ユニット１２０m及びデータロガー２３０qが実行する処理、並びに、サーバ装置４００が実行する代謝反応速度式生成処理、代謝反応速度式の送信処理、推奨トレーニング運動情報生成処理、実行されたトレーニング運動の評価処理に主に着目して説明する。
【０１０５】
《代謝反応速度式の導出》
まず、トレーニング支援システム９００における対象者ごとの代謝反応速度式の導出について説明する。
【０１０６】
かかる代謝反応速度式の導出に際しては、まず、対象者が、上述した事前計測ユニット２００qの設備を有する施設（実験室、トレーニングセンタ）へ出向く。そして、対象者が、事前計測ユニット２００qに対して、対象者の識別情報、及び、検出対象となる運動状態パラメータの種類の指定を入力する。ここで、対象者は、利用可能性がある可搬型計測ユニット１００mが有しているセンサ１００m,1〜１００m,Nmにより検出可能な運動状態パラメータの値の種類を考慮して、検出対象となる運動状態パラメータの値の種類の指定を入力する。
【０１０７】
この後、センサ検出結果のロギング動作の開始指定がされ、対象者の事前計測用の漸増負荷テストが開始されると、データロガー２３０qが、指定された運動状態パラメータの値に対応するセンサから送られた検出結果データを収集する。そして、データロガー２３０qは、収集された検出結果データを、対象者の識別情報及び検出時刻（収集時刻）とともに、サーバ装置４００へ送信する。
【０１０８】
当該事前計測用の漸増負荷テスト中に適宜採血が行われる。そして、採血された血液中における乳酸濃度が、乳酸測定器２２０qにより測定される。かかる乳酸測定器２２０qによる測定の結果は、データロガー２３０qの入力部を利用してデータロガー２３０qに入力される。なお、乳酸濃度の測定結果の入力に際しては、対象者の識別情報及び採血時刻の指定が入力されるようになっている。そして、１検体に関する乳酸濃度の測定が終了すると、データロガー２３０qは、乳酸測定器２２０qによる測定結果データを、対象者の識別情報及び採血時刻とともに、乳酸測定情報として、サーバ装置４００へ送る。
【０１０９】
こうして事前計測用の漸増負荷テストにおける運動状態パラメータ値の検出結果データ及び乳酸測定結果を受信すると、サーバ装置４００は、代謝反応速度式生成処理を実行する。かかる代謝反応速度式生成処理に際しては、サーバ装置４００は、対象者に対して、上述した代謝反応速度式（Ｉ）〜（IX）の中から少なくとも１つの式を、最小２乗法等の統計的手法を使用して推定する。
【０１１０】
なお、代謝反応速度式（Ｉ）〜（IX）のそれぞれは、上述したように、次の第１〜第３の組の変数のいずれかの組の変数を採用している。
ここで、第１の組の変数は、(a1)トルク、(a2)脚あるいは腕の回転速度(rpm)、ピッチ数及び移動速度からなる群から選ばれるいずれかのケイデンスあるいは運動速度、(a3) 運動開始前に測定された測定対象者の体重、(a4)心拍数、(a5)運動環境、(a6)血中乳酸濃度、並びに、(a7)気温又は体温のいずれか一方の温度からなる変数を含む。当該第１の組の変数を採用した代謝反応速度式は、式（Ｉ），（IV），（VII）となっている。
【０１１１】
また、第２の組の変数は、上記の第１の組の変数と比べて、上記(a1)トルクに代えて(b1)フォース値を、(a2)ケイデンスあるいは運動速度に代えて(b2)身体を動かす速さのパラメータとして、歩行時、車椅子走行時、ハンドバイク走行時又はランニング時の歩幅又はピッチ数を、変数として含んでいる。当該第２の組の変数を採用した代謝反応速度式は、式（II），（Ｖ），（VIII）となっている。
【０１１２】
さらに、第３の組の変数は、上記の第１の組の変数と比べて、上記(a1)トルク及び(a2) ケイデンスあるいは運動速度に代えて、(c1)パワー（又は、force(力)、水平および垂直方向の速度と加速度、身体の上下変動高さ、接地時間、走行時のジャンプ角度、ストライドの周期(pitch)といった測定パラメータから求める仕事率(work rate)）を、変数として含んでいる。当該第３の組の変数を採用した代謝反応速度式は、式（III），（VI），（IX）となっている。
【０１１３】
本発明者が研究の結果として得た知見によれば、上記式（Ｉ）〜（III）のタイプの式形式（以下、「指数タイプ式」という）の場合には、持久運動能力レベルが高い者（図５（Ａ）参照）及び低い者（図５（Ｂ）参照）の双方について、実用的精度を確保することができる推定式となっている。
図５（後述する図６も同様）は、運動強度の変化に伴う乳酸生成速度の変化を示す図である。ここで、黒塗りの四角が実測値であり、曲線が指数タイプ式による回帰式である。
【０１１４】
また、上記式（IV）〜（VI）のタイプの式形式（以下、「累乗タイプ式」という）の場合には、持久運動能力レベルが高い者（図６（Ａ）参照）については実用的精度を確保することができない。一方、持久運動能力レベルが低い者（図６（Ｂ）参照）については、「指数タイプ式」よりも高い精度を確保することができる。
【０１１５】
さらに、上記式（VII）〜（IX）のタイプの式形式（以下、「複合タイプ式」という）の場合には、式の推定のための演算量が大きくなるが、指数タイプ式及び累乗タイプ式よりも推定精度の向上を図ることができる。
【０１１６】
なお、本発明者が得た知見によれば、トレーニングの進捗・状態に応じて上述の性質をもち、トレーニングの実施内容と強い相関性があり、トレーニングデータからも類別・推算することができる。
【０１１７】
こうして対象者の代謝反応速度式が生成されると、サーバ装置４００は、当該対象者の識別情報に関連付けて、生成された代謝反応速度式を、大容量記憶装置に格納する。以下の説明では、同一対象者について最新に生成された代謝反応速度式を、「最新代謝反応速度式」と呼ぶものとする。
【０１１８】
《推奨トレーニング運動の導出》
次に、トレーニング支援システム９００における対象者に対する推奨トレーニング運動の導出について説明する。
【０１１９】
推奨トレーニング運動の導出に際しては、まず、利用者端末装置３００pを利用して、対象者が、サーバ装置４００へ推奨トレーニング運動提示要求を送信する。なお、上述したように、本実施形態推奨トレーニング運動提示要求では、対象者の識別情報、行いたいトレーニング運動の種類（マラソン、自転車等）等が指定される。
【０１２０】
推奨トレーニング運動提示要求を受信すると、サーバ装置４００は、推奨トレーニング運動情報生成処理を実行する。かかる推奨トレーニング運動情報生成処理に際して、サーバ装置４００は、まず、対象者の識別情報に基づいて、大容量記憶装置内を検索して、対象者の最新代謝反応速度式を特定する。引き続き、サーバ装置４００は、特定された最新代謝反応速度式、対象者のそれまでのトレーニング履歴、対象者が行いたいトレーニング運動の種類、大容量記憶装置内に記憶されている当該種類のトレーニング運動のコース情報及び目標とするレースのコース情報に基づいて、推奨トレーニング運動情報を生成する。
【０１２１】
当該推奨トレーニング運動情報の生成に際して、サーバ装置４００は、対象者にとって利用しやすいと想定されるトレーニング運動のコースを含め、それまでの走行記録から抽出する。引き続き、サーバ装置４００は、抽出されたトレーニング運動のコースのそれぞれについて、特定された代謝反応速度式、及び、コース中における傾斜分布等に基づいて、少なくとも１つのトレーング運動候補として抽出する。
【０１２２】
ところで、本発明の発明者が研究の結果として得た知見によれば、持久運動能力の向上のための運動の質は、運動中の対象者の体内における乳酸等の代謝物質の濃度の値の経時変化の様態により定まる。そして、本発明の発明者が研究の結果として更に得た知見によれば、持久運動能力の向上のための運動の質は、次の（ｉ）〜（vi）により判断することができる。
【０１２３】
（ｉ）休憩期間を含めて血中乳酸濃度が２〜１４ｍｍｏｌ／ｌに含まれる予め定められた濃度範囲内となる状態の期間長（第１期間長）をなるべく長期間とできることが、持久運動能力の向上の観点から好ましい。
（ii）当該状態の期間長のトレーニング運動中期間に対する割合をなるべく高くできることが、持久運動能力の向上の観点から好ましい。
（iii）乳酸濃度が上昇傾向となっていた期間長（第２期間長）をなるべく長期間とできることが、持久運動能力の向上の観点から好ましい。
（iv）乳酸濃度値が維持されているといえる期間長（第３期間長）をなるべく長期間とできることが、持久運動能力の向上の観点から好ましい。
【０１２４】
（ｖ）図７に示されるように、第１〜第３期間（特定期間）における代謝物質（乳酸）の第１総生成量の運動の全期間中における代謝物質の第２総生成量に対する割合が高いほど、上述したＬＴの上昇に寄与できる傾向にある。このため、当該割合を高くできることが、持久運動能力の向上の観点から好ましい。
【０１２５】
なお、本実施形態では、第１総生成量及び第２総生成量を、今回採用している代謝反応式における各項の係数ａi及び／又はｋiの値が正である項（以下、「正値項」とも呼ぶ）のみを取り出して作成した式で算出される値の対象期間（第１総生成量の場合には、第１〜第３期間に該当する期間；第２総生成量の場合には、運動の全期間）にわたって累積加算することにより算出している。
【０１２６】
（vi）第２総生成量が、対象者に応じて定められた目標累積生成量に近いことが、持久運動能力の向上の観点から好ましい。例えば、図８に示されるような代謝物質の累積生成量の時間変化をするトレーニング運動であれば、持久運動能力の向上の観点から好ましいといえる。
【０１２７】
上記の条件を（ｉ）〜（iv）を判断基準として、サーバ装置４００は、トレーニング運動候補を評価する。かかる評価により、サーバ装置４００は、トレーニング運動候補のそれぞれの対象者にとって有効性を判断する。そして、サーバ装置４００は、当該判断の結果に基づいて、推奨トレーニング運動情報（推奨コース、推奨運動期間長、運動態様（速度、休憩ととる目安等）等）を生成する。
【０１２８】
なお、推奨トレーニング運動情報には、上り坂であるのか、平坦路であるか、あるいは室内に設置するタイプのインドアトレーナーであるかなどの、トレーニングコース情報を含める場合もある。あるいは、それまでのトレーニング履歴から、特定の地点を含めたコース情報と併せて提案することもある。
【０１２９】
こうして推奨トレーニング運動情報が生成されると、サーバ装置４００は、生成された推奨トレーニング運動情報を、今回の推奨トレーニング運動提示要求を送信した利用者端末装置３００p及び／又は当該利用者が利用する可搬型計測ユニット（以下、可搬型計測ユニット１００mと記す）へ送信する。当該推奨トレーニング運動情報を受信すると、利用者端末装置３００p 及び／又は可搬型計測ユニット１００mは、当該推奨トレーニング運動情報を今回の対象者に提示する。
【０１３０】
《実施したトレーニング運動の評価》
次いで、トレーニング支援システム９００における、実施したトレーニング運動の評価について説明する。
【０１３１】
実施したトレーニング運動の評価に際しては、まず、対象者が運動開始に当たって、トレーニング運動のコースへ出向く。そして、対象者が、可搬型計測ユニット１００mに対して、対象者の識別情報、及び、可搬型計測ユニット１００mにより検出される運動状態パラメータ値の種類の指定を入力する。
【０１３２】
この後、対象者が、可搬型計測ユニット１００mに対して、センサ検出結果のロギング動作の開始の指定を入力すると、処理ユニット１２０mが、対象者の識別情報を指定した代謝反応速度式要求を生成し、生成された代謝反応速度式要求をサーバ装置４００へ送信する。この反応代謝式要求を受信すると、サーバ装置４００は、代謝反応速度式の送信処理を実行する。
【０１３３】
かかる代謝反応速度式の送信処理に際して、サーバ装置４００は、まず、指定された対象者の識別情報に基づいて、当該対象者の最新代謝反応速度式を抽出する。そして、サーバ装置４００は、抽出された最新代謝反応速度式を、今回の代謝反応速度式要求を送信した可搬型計測ユニット１００mへ送る。
【０１３４】
最新代謝反応速度式を受信すると、処理ユニット１２０mは、センサ検出結果の収集を開始するとともに、当該収集結果及び最新代謝反応速度式を利用した血中乳酸濃度の算出処理を開始する。引き続き、処理ユニット１２０mは、算出された血中乳酸濃度の最近における時間変化を表示させるための表示データを生成し、生成された表示データを表示ユニット１３０mへ送る。この結果、表示ユニット１３０mにより、血中乳酸濃度の最近における時間変化が表示されることにより、対象者に対して、血中乳酸濃度の最近における時間変化の様子が提示される。また、処理ユニット１２０mは、算出された血中乳酸濃度及びセンサ検出結果の収集データを、時刻情報とともにサーバ装置４００へ送信する。
【０１３５】
以後、センサ検出結果のロギング動作の終了の指定が入力されるまで、処理ユニット１２０mは、センサ検出結果の収集を開始の動作を継続する。そして、センサ検出結果のロギング動作の終了の指定が入力されると、処理ユニット１２０mは、今回のトレーニング運動を終了した旨を、サーバ装置４００へ送信し、新たなセンサ検出結果のロギング動作の終了の指定入力の待ち状態となる。
【０１３６】
以上のようして今回のトレーニング運動を終了した旨を受信すると、サーバ装置４００は、当該今回のトレーニング運動の評価処理を実行する。
かかるトレーニング運動の評価処理に際して、サーバ装置４００は、（ｉ）休憩期間を含めて血中乳酸濃度が２〜１４ｍｍｏｌ／ｌに含まれる予め定められた範囲内となる状態の期間長（第３期間長）、及び、（ii）当該状態の期間長のトレーニング運動中期間に対する割合、並びに、（iii）乳酸濃度が上昇傾向となっていた期間長（第２期間長）、及び／又は、（iv）乳酸濃度値が維持されているといえる期間長（第１期間長）を判断指標として、推奨トレーニング運動情報（推奨コース、推奨運動期間長、運動態様（速度、休憩をとる目安等）等）を評価指標とした評価を行う。
【０１３７】
なお、これらの期間長が長いほど、また、当該割合が高いほど、今回のトレーニングの質が高かったと評価するようになっている。
【０１３８】
図９には、実施されたトレーニング運動における運動強度の時間変化の一例（図９（Ａ））と、当該運動強度の時間変化の一例に応じた血中乳酸濃度の時間変化（図６（Ｂ））が示されている。なお、図９（Ａ）においては、運動強度としてパワーが代表的に示されている。
【０１３９】
図９の例では、（ｉ）休憩期間を含めて血中乳酸濃度が２〜１４ｍｍｏｌ／ｌに含まれる予め定められた範囲内（図９の例では、４〜８ｍｍｏｌ／ｌの範囲内）となる状態の期間長が長く、かつ、（ii）当該状態の期間長のトレーニング運動中期間に対する割合が高くなっている。このため、図９の例のトレーニング運動は、質の高いトレーニング運動であったと評価される。
【０１４０】
図１０には、実施されたトレーニング運動における運動強度の時間変化の他例（図１０（Ａ））と、当該運動強度の時間変化の一例に応じた血中乳酸濃度の時間変化（図１０（Ｂ））が示されている。なお、図１０（Ａ）においても、運動強度としてパワーが代表的に示されている。
【０１４１】
図１０の例では、3回の間欠的運動の一例である。短い休息時間で、高い強度を繰り返し発揮する場合、短い休息時間で回復を図れることが競技力の向上には有効である。1回目のダッシュ時に乳酸濃度は上昇を続け、脚を止めたことにより、急速に濃度低下を始める、乳酸濃度が4mmo/l以下に下がる前に次のダッシュを開始している。2回目の休息時にはより長い時間の休息をとっていて、２mmol/l以下までは下がっていないが、乳酸濃度は3.5mmol/lまで下がっている。2回目の休息時間は1回目同等程度まで短くし、濃度低下時間を短くし、より濃度が高い時間で次のダッシュを開始する事が望ましい。濃度低下している区間は、濃度を高く保っている点では好ましいが、濃度が下がり続けている状態はより短くする事が好ましい。
【０１４２】
また、第１〜第３期間（特定期間）における代謝物質（乳酸）の第１総生成量のトレーニング運動の全期間中における代謝物質の第２総生成量に対する割合が高いほど、対象者にとって有効な運動態様であったと判断する。
【０１４３】
また、第２総生成量が、対象者に応じて定められた目標累積生成量に近いほど、対象者にとって有効な運動態様であると判断する。
【０１４４】
こうして評価が終了すると、サーバ装置４００は、今回のトレーニング運動の期間における運動強度の時間変化情報及び血中乳酸濃度の時間変化情報を生成する。そして、サーバ装置４００は、こうして生成された時間変化情報と、評価結果の情報を、対象者に対応する利用者端末装置３００pへ送信する。この結果、利用者端末装置３００pにより、今回のトレーニング運動が、どのような態様のトレーニング運動であったのか、及び、今回のトレーニング運動の質の評価結果が、対象者に提示される。
【０１４５】
以上説明したように、本実施形態のトレーニング支援システム９００では、算出部として機能するサーバ装置４００が、対象者の事前運動時における複数の運動状態パラメータ値に応じた血中の乳酸の代謝速度測定結果から得られている当該対象者の乳酸の代謝反応速度式に基づいて、当該対象者のトレーニング運動中における運動状態パラメータ値の少なくとも１つの時間変化に応じた乳酸の濃度の時間変化を算出する。そして、評価部として機能するサーバ装置４００が、当該対象者が実施したトレーニング運動中において、算出された乳酸の濃度が維持、上昇あるいは予め定められた範囲内の値を維持する期間長、に基づいて、当該実施したトレーニング運動の内容の対象者にとっての持久運動能力の向上のための適切性を評価する。
【０１４６】
したがって、本実施形態のトレーニング支援システム９００によれば、従来例の技術におけるトレーニング運動中における乳酸の血中濃度を、採血等を行って直接的に測定しなくともよいという利点を確保しつつ、トレーニング運動中における乳酸の血中濃度が予め定められた範囲内の値を維持する期間長という具体的な指標を用いて、対象者が行った運動の持久運動能力の向上のための質の客観的な評価を行うことができる。
【０１４７】
また、本実施形態のトレーニング支援システム９００では、サーバ装置４００が、前記算出された乳酸の濃度が維持、上昇あるいは予め定められた範囲内の値を維持する期間長が長いほど、実施したトレーニング運動の内容の対象者にとっての適切性が高かったと評価する。このため、簡易に、かつ、合理的にトレーニング運動の内容の質を評価することができる。
【０１４８】
また、本実施形態のトレーニング支援システム９００では、トレーニング運動中に現時点までの乳酸の血中濃度の時間変化を表示画像により、対象者に提示する。このため、トレーニング運動中の対象者に対して、現時点までのトレーニング運動の質をリアルタイムで提示することができる。
【０１４９】
また、本実施形態のトレーニング支援システム９００では、導出部として機能するサーバ装置４００が、代謝反応速度式により算出される乳酸の濃度の時間変化が、対象者にとって有効なトレーニング運動に対応すると推定されるトレーニング態様を導出する。このため、対象者が行った運動の質の評価に加えて、対象者にとって有効なトレーニング運動に対応すると推定されるトレーニング態様を導出することができる。
【０１５０】
また、本実施形態のトレーニング支援システム９００では、サーバ装置４００が、複数のトレーニング態様候補のうち、算出される乳酸の濃度が予め定められた範囲内の値を維持する期間長が長いほど、対象者にとって有効なトレーニング態様であると判断する。このため、簡易に、かつ、合理的に、質の高いトレーニング態様を、対象者に対して提案することができる。
【０１５１】
［実施形態の変形］
本発明は、上記の実施形態に限定されるものではなく、様々な変形が可能である。
【０１５２】
例えば、上記の実施形態では、代謝物質を乳酸とした。これに対し、運動により体内濃度が変化し、かつ、体内濃度を測定可能な乳酸であれば、乳酸に代えて採用することができる。例えば、代謝物質としてクレアチンリン酸を採用することができる。
【０１５３】
上記の実施形態では、血中乳酸濃度のリアルタイム提示を表示画像により行うようにしたが、表示画像に加えて出力音声により血中乳酸濃度のリアルタイム提示を行うようにしてもよい。
【０１５４】
また、上記の実施形態では、可搬型計測ユニットでは、センサと処理ユニットの接続を近距離無線接続としたが、有線接続としてもよい。
【０１５５】
また、上記の実施形態では、可搬型計測ユニットと利用者端末装置とを別装置としたが、可搬型計測ユニットにおける処理ユニットの処理能力が高い場合には、処理ユニットが利用者端末装置の機能を果たすようにしてもよい。
【０１５６】
また、上記の実施形態では、トレーニング運動の評価を行うようにしたが、実際に参加した試合における運動を評価するようにしてもよい。
【０１５７】
また、上記の実施形態では、実施候補の推奨トレーニング運動の導出に際して、対象者にとって利用しやすいと想定されるトレーニング運動のコースを含め、それまでの走行記録から抽出するようにした。そして、抽出されたトレーニング運動のコースのそれぞれについて、当該対象者について特定された代謝反応速度式、及び、コース中における傾斜分布等に基づいて、少なくとも１つのトレーング運動候補として抽出するようにした。
【０１５８】
これに対し、他の対象者の実際のレースなどにおける運動状態パラメータの時間変化の実測値を利用して、当該対象者について特定される代謝反応速度式を適用してみることにより、当該対象者の運動能力と、他の対象者の運動能力とを比較するようにしてもよい。この場合には、他の対象者と同じレース等に当該対象者が参加して、他の対象者と競合しようとした場合に、当該対象者にとって余裕のある運動であるのか、途中で疲労困憊の状態となってしまうのか等の当該対象者にとっての運動の質を評価することができる。
【０１５９】
また、上記の実施形態では、休憩期間を含めて血中乳酸濃度が２〜１４ｍｍｏｌ／ｌに含まれる予め定められた濃度範囲内として、血中乳酸濃度が４〜８ｍｍｏｌ／ｌとなる状態の期間長（第１期間長）をなるべく長期間とできることを評価基準とした。これに対し、血中乳酸濃度が２〜１４ｍｍｏｌ／ｌとなる状態の期間長（第１期間長）をなるべく長期間とできることを評価基準としてもよい。さらに、血中乳酸濃度が２〜２３ｍｍｏｌ／ｌとなる状態の期間長（第１期間長）をなるべく長期間とできることを評価基準としてもよい。
【産業上の利用可能性】
【０１６０】
本発明は、トレーニング運動の支援を行うトレーニング支援システムの分野において有用である。
【符号の説明】
【０１６１】
１００          …  可搬型計測ユニット
１１０          …  センサ
１２０          …  処理ユニット
１３０          …  表示ユニット（提示部）
２００          …  事前計測ユニット
２１０          …  センサ
２２０          …  乳酸測定器
２３０          …  データロガー
３００          …  利用者端末装置
４００          …  サーバ装置（算出部、評価部、導出部）
【図１】
2020089721.tif 000021
【図２】
2020089721.tif 000022
【図３】
2020089721.tif 000023
【図４】
2020089721.tif 000024
【図５】
2020089721.tif 000025
【図６】
2020089721.tif 000026
【図７】
2020089721.tif 000027
【図８】
2020089721.tif 000028
【図９】
2020089721.tif 000029
【図１０】
2020089721.tif 000030